(57)【要約】【課題】シンクライアントにおいて、利用者が意識せずに必要なＯＡ業務についてのみ接続先ＰＣ(ＶＤＩ環境)からシンクライアント単体利用に移行し作業を継続できる環境を提供する。【解決手段】ＶＤＩ環境を備えた情報処理装置(ＰＣ)はシンクライアント(端末)からの遠隔操作情報を受信してＰＣの業務プログラムによりＰＣの記憶装置に格納された文書ファイルを更新する手段と、更新後の文書ファイルを端末に送信する手段と、端末から受信した文書ファイルを記憶装置に格納された文書ファイルに上書きする手段とを備え、端末はＰＣから受信した文書ファイルを端末の一時記憶装置に格納された文書ファイルに上書きする手段と、一時記憶装置に格納された文書ファイルをＰＣに送信する手段とを備え、端末はオフライン時に端末の業務プログラムを自動的に起動して一時記憶装置に格納された文書ファイルを開くシンクライアントシステム。【選択図】  図１
2016118837.tif 000002
【特許請求の範囲】
【請求項１】
ＶＤＩ環境を備えた情報処理装置とシンクライアントとがネットワークを介して接続されたシンクライアントシステムにおいて、
前記情報処理装置は、前記シンクライアントがオンライン状態の時に、
前記シンクライアントからの遠隔操作情報を受信して該情報処理装置のＯＡ業務プログラムにより該情報処理装置の記憶装置に格納された文書ファイルを更新する手段と、
更新後の文書ファイルを前記シンクライアントに送信する手段と、
前記シンクライアントから受信した文書ファイルを前記記憶装置に格納された文書ファイルに上書きする手段と、を備え、
前記シンクライアントは、該シンクライアントがオンライン状態の時に、
前記情報処理装置から受信した文書ファイルを該シンクライアントの一時記憶装置に格納された文書ファイルに上書きする手段と、
前記一時記憶装置に格納された文書ファイルを前記情報処理装置に送信する手段と、を備え、
前記シンクライアントは、該シンクライアントがオフライン状態の時に、
該シンクライアントのＯＡ業務プログラムを自動的に起動して前記一時記憶装置に格納された文書ファイルを開き、利用者からの入力情報により前記文書ファイルを更新する
ことを特徴とするシンクライアントシステム。
【請求項２】
ネットワークを介してＶＤＩ環境を備えた情報処理装置に接続されるシンクライアントの文書ファイル制御方法において、
前記シンクライアントがオンライン状態の時に、
前記情報処理装置は、
前記シンクライアントからの遠隔操作情報を受信して該情報処理装置のＯＡ業務プログラムにより該情報処理装置の記憶装置に格納された文書ファイルを更新し、
更新後の文書ファイルを前記シンクライアントに送信し、
前記シンクライアントは、
前記情報処理装置から受信した文書ファイルを該シンクライアントの一時記憶装置に格納された文書ファイルに上書きし、
前記シンクライアントが前記オンライン状態からオフライン状態になった時に、
該シンクライアントは、
該シンクライアントのＯＡ業務プログラムを自動的に起動して前記一時記憶装置に格納された文書ファイルを開き、利用者からの入力情報により前記文書ファイルを更新し、
前記シンクライアントが前記オフライン状態からオンライン状態になった時に、
前記シンクライアントは、
前記一時記憶装置に格納された文書ファイルを前記情報処理装置に送信し、
前記情報処理装置は、
前記シンクライアントから受信した文書ファイルを前記記憶装置に格納された文書ファイルに上書きする
ことを特徴とするシンクライアントの文書ファイル制御方法。
【請求項３】
ネットワークを介してＶＤＩ環境を備えた情報処理装置に接続されるシンクライアントの文書ファイル制御方法において、
前記シンクライアントがオンライン状態の時に、
前記情報処理装置は、
前記シンクライアントからの遠隔操作情報を受信して該情報処理装置のＯＡ業務プログラムにより該情報処理装置の記憶装置に格納された文書ファイルを更新し、
前記文書ファイルが一定時間内に更新された際に更新後の文書ファイルを前記シンクライアントに送信し、
前記シンクライアントは、
前記情報処理装置から受信した文書ファイルの更新日時が該シンクライアントの一時記憶装置に格納された文書ファイルの更新日時より新しい場合に受信した文書ファイルを前記一時記憶装置に格納された文書ファイルに上書きし、
前記シンクライアントが前記オンライン状態からオフライン状態になった時に、
該シンクライアントは、
該シンクライアントのＯＡ業務プログラムを自動的に起動して前記一時記憶装置に格納された文書ファイルを開き、利用者からの入力情報により前記文書ファイルを更新し、
前記シンクライアントが前記オフライン状態からオンライン状態になった時に、
前記シンクライアントは、
前記一時記憶装置に格納された文書ファイルの更新日時が前記情報処理装置から受信した文書ファイルの更新日時より新しく、且つ該シンクライアントのＯＡ業務プログラムが未動作の場合に前記一時記憶装置に格納された文書ファイルを前記情報処理装置に送信し、
前記情報処理装置は、
前記シンクライアントから受信した文書ファイルの更新日時が前記記憶装置に格納された文書ファイルの更新日時より新しい場合に受信した文書ファイルを前記記憶装置に格納された文書ファイルに上書きする
ことを特徴とするシンクライアントの文書ファイル制御方法。
【発明の詳細な説明】
【技術分野】
【０００１】
本発明は、シンクライアントシステムに関し、特に、ＰＣなどの情報処理装置に接続するシンクライアントの文書ファイル制御方法に関する。
【背景技術】
【０００２】
シンクライアントは、近年においては「内部に情報をもたない」という特徴が評価され、セキュリティ強化対策の１つとして導入するケースが増えてきている。シンクライアントは、有線ＬＡＮなどの通信デバイス（ネットワークデバイス）を経由して仮想デスクトップ環境である接続先ＰＣ（以下、ＶＤＩ環境）にアクセスし、シンクライアント内の通信ソフトを使って遠隔操作することによって業務等を行うが、シンクライアントにはＶＤＩ環境から転送されてきた画面イメージしか表示されないため、シンクライアントにはデータが残らず、情報の漏洩を防ぐことができる。
【０００３】
しかしながら、シンクライアントは、通信デバイスが利用できない場所に移動した際に、画面イメージの表示および遠隔操作が不可となり、作業を継続することができない。このため通信デバイスが利用できない場所での利用（以下、オフライン利用）においても作業を継続することが課題となった。
【０００４】
この課題を解決する方法として、サーバからダウンロードして携帯端末に記憶したセキュアデータを使用できるようにし、所定のタイミングにより消去することでセキュリティを確保することにより、一時的にサーバとの通信が切断された場合でも、操作の続行を可能とするとともに、情報漏えいに対する高いセキュリティレベルを実現したシンクライアントシステムが提案されている（特許文献１）。
【先行技術文献】
【特許文献】
【０００５】
【特許文献１】特開2009-181460号公報
【発明の概要】
【発明が解決しようとする課題】
【０００６】
上記特許文献１では、オフライン利用の切り替える為に、事前に端末のメニューよりアプリケーションを選択して起動しておく必要があるが、主としてＯＡ業務をＶＤＩ環境で実施するシンクライアント利用において、利用者が通信切断を予知して事前にオフライン利用への切り替えを実施することは煩雑な作業であり、特に無線通信においては困難である。
【０００７】
また、オフラインからオンライン復帰時に、必要に応じてファイルをＶＤＩ環境に転送し、ＶＤＩ環境で作業が継続できる必要がある。
【０００８】
本発明の目的は、利用者が意識せずに必要なＯＡ業務についてのみセキュアにオフライン利用に移行し、作業を継続できることにある。
【課題を解決するための手段】
【０００９】
ＶＤＩ環境を備えた情報処理装置(ＰＣ)はシンクライアント(端末)からの遠隔操作情報を受信してＰＣの業務プログラムによりＰＣの記憶装置に格納された文書ファイルを更新する手段と、更新後の文書ファイルを端末に送信する手段と、端末から受信した文書ファイルを記憶装置に格納された文書ファイルに上書きする手段とを備え、端末はＰＣから受信した文書ファイルを端末の一時記憶装置に格納された文書ファイルに上書きする手段と、一時記憶装置に格納された文書ファイルをＰＣに送信する手段とを備え、端末はオフライン時に端末の業務プログラムを自動的に起動して一時記憶装置に格納された文書ファイルを開き、利用者からの入力情報により前記文書ファイルを更新するシンクライアントシステム。
【発明の効果】
【００１０】
本発明によれば、オフライン時に意識せずシンクライアント上でＯＡ業務を継続することができる、利便性の高いシンクライアントが実現できる。
【図面の簡単な説明】
【００１１】
【図１】本発明の実施例におけるシンクライアントシステムの全体構成図
【図２】ファイル転送プログラム(ＶＤＩ)の全体処理フローチャート
【図３】ファイル転送プログラム(ＶＤＩ)の文書ファイル監視ルーチン処理フローチャート
【図４】ファイル転送プログラム(ＶＤＩ)の電文受信ルーチン処理フローチャート
【図５】ファイル転送プログラム(シンクラ)の全体処理フローチャート
【図６】ファイル転送プログラム(シンクラ)の文書ファイル監視ルーチン処理フローチャート
【図７】ファイル転送プログラム(シンクラ)の電文受信ルーチン処理フローチャート
【図８】ファイル情報の構成図
【図９】公知のシンクライアントシステムの全体構成図
【発明を実施するための形態】
【００１２】
本発明の実施例について、図面を元に説明する。
【００１３】
図９は、公知の技術であるシンクライアントシステムの全体構成図である。
公知のシンクライアントシステムは、接続先ＰＣ１０とシンクライアント２０、ネットワーク３０の３つで構成されている。
【００１４】
接続先ＰＣ１０はＯＳ１０８上に、ＶＤＩ環境を実現するリモート接続サーバプログラム１０１、ワードプロセッサや表計算ソフトなど実際の業務を実施するＯＡ業務プログラム１０３が動作しており、記憶装置１０４にはＯＡ業務プログラム１０３で利用する文書ファイルが格納されている文書ファイルフォルダ１０５が存在する。
【００１５】
シンクライアント２０は、ＯＳ２０８上に、ＶＤＩ環境への接続を実現するリモート接続クライアントプログラム２０１が動作する。
【００１６】
シンクライアントシステムで業務をする際は、ネットワーク３０が確立している状態で利用者がシンクライアント２０を操作してＯＳ２０８にログインし、リモート接続クライアントプログラム２０１を操作して接続先ＰＣ１０にあるリモート接続サーバプログラム１０１に接続し、ＯＳ１０８にログオンする。
【００１７】
利用開始後は、リモート接続サーバプログラム１０１からリモート接続クライアントプログラム２０１には、ＰＣ１０の画像データが転送され、
リモート接続クライアントプログラム２０１からリモート接続サーバプログラム１０１へは、遠隔操作(キー入力やマウス)の情報が送信され、シンクライアント２０から仮想的に接続先ＰＣ１０を操作している状態となる。
【００１８】
このとき、例えは、シンクライアント２０から接続先ＰＣ１０の利用者ＯＡ業務プログラム１０３を起動する際には、シンクライアント２０から遠隔操作により、接続先ＰＣ１０の利用者ＯＡ業務プログラム１０３を実行し、起動する。
【００１９】
既知のシンクライアントシステムでは、ＯＡ業務プログラム１０３は、あくまで接続先ＰＣ１０上で起動しているもので、ネットワーク３０が切断し、リモート接続サーバプログラム１０１とリモート接続クライアントプログラム２０１で通信が出来ないと、遠隔操作および画像転送ができず、シンクライアント２０上でＯＡ業務プログラム１０３の操作は一切できない。
【００２０】
図１は、本発明の実施例におけるシンクライアントシステムの全体構成図である。
【００２１】
シンクライアントシステムは、接続先ＰＣ１０とシンクライアント２０、ネットワーク３０の３つで構成されている。
【００２２】
接続先ＰＣ１０はＯＳ１０８上に、ＶＤＩ環境を実現するリモート接続サーバプログラム１０１、ファイル転送およびＯＡ利用文書ファイルの検出をおこなうファイル転送プログラム(ＶＤＩ)１０２、ワードプロセッサや表計算ソフトなど実際の業務を実施するＯＡ業務プログラム１０３が動作しており、記憶装置１０４にはＯＡ業務プログラム１０３で利用する文書ファイルが格納されている文書ファイルフォルダ１０５が存在する。尚、文書ファイルフォルダ１０５は、複数設置することができる。
【００２３】
シンクライアント２０は、ＯＳ２０８上に、ＶＤＩ環境への接続を実現するリモート接続クライアントプログラム２０１、ファイル転送およびＯＡ利用文書ファイルの検出をおこなうファイル転送プログラム(シンクラ)２０２、ワードプロセッサや表計算ソフトなど業務を実施するＯＡ業務プログラム２０３が動作しており、ＯＡ業務プログラム２０３で利用する文書ファイルは文書ファイルフォルダ２０５内に格納され、ファイル転送プログラム(ＶＤＩ)１０２の仕掛けにより、ファイル転送プログラム(シンクラ)２０２経由で一時記憶装置２０４に格納されたものである。
【００２４】
シンクライアントシステムで業務をする際は、ネットワーク３０が確立している状態で利用者がシンクライアント２０を操作してＯＳ２０８にログインし、リモート接続クライアントプログラム２０１を操作して接続先ＰＣ１０にあるリモート接続サーバプログラム１０１に接続し、ＯＳ１０８にログオンする。ログオンの際にファイル転送プログラム(ＶＤＩ)１０２およびファイル転送プログラム(シンクラ)２０２が起動する。
【００２５】
利用者ＯＡ業務プログラム１０３を起動した際に、ファイル転送プログラム(ＶＤＩ)１０２の仕掛けによりシンクライアント２０へファイルが転送される。
【００２６】
図８は、図１の文書ファイルフォルダ１０５または文書ファイルフォルダ２０５内に保存されるファイルの構成図である。文書ファイル１０５１は、ファイル情報１０５１１を有し、ファイル情報１０５１１はファイルＩＤ、ファイル状態、更新日時、プログラム情報１０５１２の情報を有している。
ファイル情報１０５１１は一般的な計算機でオペレーティングシステムのような基本ソフトウェアのファイル管理システムが利用するファイルの情報であり、ファイル特別な情報ではなく、ファイル内部に保持した一般属性情報であり、ＯＳ標準のコマンドを使い、情報を取得可能である。本発明ではこの公知の情報を利用する。
【００２７】
図２は、ファイル転送プログラム(ＶＤＩ)１０２の全体処理フローチャートである。
【００２８】
ファイル転送プログラム(ＶＤＩ)１０２起動後、ファイル転送プログラム(シンクラ)２０２とのＴＣＰ／ＩＰセッションを確立できるか、ＯＳ１０８のソケットインターフェースを用いて確認する（ステップ１０２１）。通信可能な場合は、文書ファイル管理ルーチン(ＶＤＩ)１０２２の処理が実施され、文書ファイルフォルダ１０５内のファイルがシンクライアント２０に転送される。尚、ソケットとは、多くの汎用ＯＳで採用されている、標準的なネットワークの抽象化インタフェースである。
【００２９】
次に電文受信ルーチン(ＶＤＩ)１０２３の処理が実施され、シンクライアント２０で文書ファイルフォルダ２０５内のファイルの編集がおこなわれた際のファイル受信が実施される。
【００３０】
次に、ＯＳ１０８よりログオフメッセージが発行されているかを確認する（ステップ１０２４）。ログオフメッセージが発行されている場合はＯＳ１０８のセッション終了とみなし、プログラムを終了する（ステップ１０２５）。ログオフメッセージが発行されていない場合は、一定のウェイト（１秒〜２０秒）を置いた後、ステップ１０２１に戻って処理を繰り返す。
【００３１】
ステップ１０２１において、通信が可能でなかった場合はオフライン状態の為、文書ファイル管理ルーチン(ＶＤＩ)１０２２および電文受信ルーチン(ＶＤＩ)１０２３は処理せず、ステップ１０２４に進む。
【００３２】
図３は、文書ファイル監視ルーチン(ＶＤＩ)１０２２の処理フローチャートである。
【００３３】
まず、文書ファイルフォルダ１０５内のファイルの最終更新日時を取得する（ステップ１０２２１）。これは、ファイルがＯＡ業務プログラム１０３により開かれた際に、文書ファイルフォルダ１０５内ファイルの最終更新日時が更新される為、ＯＡ業務プログラムの動作を監視するために実施するものである。また、文書ファイルフォルダ１０５内ファイルが保存された際も、同様に最終更新時刻が更新される。
【００３４】
取得した文書ファイルフォルダ１０５内ファイルの最終更新日時が現時刻から1分程度以内かを確認する（ステップ１０２２２）。文書ファイルフォルダ１０５内ファイルが現時刻から1分程度以内に更新されたものであったときに、ファイル転送プログラム(シンクラ)２０２に電文(送信)を通知し（ステップ１０２２３）、文書ファイルフォルダ１０５内の当該ファイルをファイル転送プログラム(シンクラ)２０２に転送し（ステップ１０２２４）、ルーチン処理を終了する（ステップ１０２２５）。
【００３５】
ステップ１０２２２において文書ファイルフォルダ１０５内ファイルの更新がなかった場合は、ステップ１０２２５に進み、ルーチン処理を終了する。
【００３６】
図４は、電文受信ルーチン(ＶＤＩ)１０２３の処理フローチャートである。
【００３７】
まず、ＯＳ１０８のソケットインターフェースにアクセスしてファイル転送プログラム(シンクラ)２０２から電文を受信し（ステップ１０２３１）、電文（送信）が到達しているかを確認する（ステップ１０２３２）。ファイル転送プログラム(シンクラ)２０２から電文（送信）が到達していない場合はルーチン処理を終了する（ステップ１０２３６）。
【００３８】
ステップ１０２３２において、到達した電文が「電文（送信）」であった場合、ファイル転送プログラム(シンクラ)２０２より文書ファイルフォルダ２０５内ファイルを受信する（ステップ１０２３３）。次に文書ファイルフォルダ１０５内ファイルと受信した文書ファイルフォルダ２０５内ファイルのファイル更新日時の比較を実施し（ステップ１０２３４）、文書ファイルフォルダ２０５内ファイルのファイル更新日時が古い場合はルーチン処理を終了する（ステップ１０２３６）。
【００３９】
受信した文書ファイルフォルダ２０５内ファイルの更新日時が新しい場合は、受信した文書ファイルフォルダ２０５内の受信ファイルを文書ファイルフォルダ１０５に上書きし（ステップ１０２３５）、ルーチン処理を終了する（ステップ１０２３６）。
【００４０】
図５は、図２で示されるファイル転送プログラム(ＶＤＩ)１０２と通信し、協調して動作するファイル転送プログラム(シンクラ)２０２の全体処理フローチャートである。
【００４１】
ファイル転送プログラム(シンクラ)２０２の起動後、ファイル転送プログラム(ＶＤＩ)１０２とのＴＣＰ/ＩＰセッションを確立できるか、ＯＳ２０８のソケットインターフェースを用いて確認する（ステップ２０２１）。通信可能な場合は、文書ファイル管理ルーチン(シンクラ)２０２２の処理が実施され、文書ファイルフォルダ２０５内ファイルが接続先ＰＣ１０に転送される。
【００４２】
次に電文受信ルーチン(シンクラ)２０２３の処理が実施され、接続先ＰＣ１０で文書ファイルフォルダ１０５内ファイルが開かれた際のファイル受信が実施される。
【００４３】
次に、ＯＳ２０８よりログオフメッセージが発行されているかを確認する（ステップ２０２６）。ログオフメッセージが発行されている場合はＯＳ２０８のセッション終了とみなし、プログラムを終了する（ステップ２０２７）。ログオフメッセージが発行されていない場合は、一定のウェイト（１秒〜２０秒）を置いた後、ステップ２０２１に戻って処理を繰り返す。
【００４４】
ステップ２０２１において、通信が可能でなかった場合はオフライン状態である。事前にオンライン状態の際に電文受信ルーチン(シンクラ)２０２３において文書ファイルフォルダ１０５内ファイルを受信している場合は、ＯＡ業務プログラム２０３を用いてファイルをオープンし、業務を継続できるようにする必要がある。
【００４５】
一時記憶装置２０４に保存されている文書ファイルフォルダ２０５内ファイルのうち最終更新時刻がもっとも新しいファイルについて、ＯＡ業務プログラム２０３で開かれているかを確認する（ステップ２０２４）。開かれている場合は、ステップ２０２６に進み、処理を続行する。開かれていない場合は、ＯＡ業務プログラム２０３を用いて文書ファイルフォルダ２０５内ファイルを開く。具体的には、対象のファイルの図８ファイル情報１０５１１を取得し、プログラム情報１０５１２から基本ソフトウェア(ＯＳ)が関連づけたＯＡ業務プログラム２０３を起動し、文書ファイルフォルダ２０５内ファイルを開く（ステップ２０２５）。
【００４６】
図８のファイル情報１０５１１は、公知のＯＳ標準のコマンドを使い、情報を取得可能であり、プログラム情報１０５１２とＯＡ業務プログラム２０３の関連も、公知のＯＳの関連情報を利用する。
【００４７】
図６は、文書ファイル監視ルーチン(シンクラ)２０２２の処理フローチャートである。
【００４８】
まず、一時記憶装置２０４内の文書ファイルフォルダー２０５内ファイルの最終更新日時を取得する（ステップ２０２２１）。これは、ファイルがＯＡ業務プログラム２０３により更新（保存）された際に、文書ファイルフォルダ２０５内ファイルの最終更新日時が更新される為、ＯＡ業務プログラムの動作を監視するために実施するものである。
【００４９】
取得した文書ファイルフォルダー２０５内ファイルの最終更新日時が、電文受信ルーチン(シンクラ)２０２３で受信して一時保存フォルダ２０６に保存された文書ファイルフォルダ１０５内ファイルの最終更新日時よりも新しい、かつ、ＯＡ業務プログラム２０３が未動作かを確認する（ステップ２０２２２）。文書ファイルフォルダー２０５内ファイルが更新され、かつ、ＯＡ業務プログラム２０３が未動作の場合、ファイル転送プログラム(ＶＤＩ)１０２に電文(送信)を送信し（ステップ２０２２３）、文書ファイルフォルダ２０５内ファイルをファイル転送プログラム(ＶＤＩ)１０２に転送し（ステップ２０２２４）、ルーチン処理を終了する（ステップ２０２２５）。
【００５０】
ＯＡ業務プログラム２０３が未動作かどうかは、図８のファイル情報１０５１１のファイル状態１０５１２をファイル転送プログラム２０２が読み取り、判別する。
【００５１】
ステップ２０２２２において文書ファイルフォルダ２０５内ファイルの更新がなかった場合は、ルーチン処理を終了する（ステップ２０２２５）。
【００５２】
図７は、電文受信ルーチン(シンクラ)２０２３の処理フローチャートである。
【００５３】
まず、ＯＳ２０８のソケットインターフェースにアクセスしてファイル転送プログラム(ＶＤＩ)１０２から電文を受信し（ステップ２０２３１）、電文（送信）が到達しているかを確認する（ステップ２０２３２）。ファイル転送プログラム(ＶＤＩ)１０２から電文が到達していない場合はルーチン処理を終了する（ステップ２０２３６）。
【００５４】
ステップ２０２３２において、到達した電文が「電文（送信）」であった場合、ファイル転送プログラム(ＶＤＩ)１０２より文書ファイルフォルダ１０５内ファイルを受信し、一時保存フォルダ２０６に保存する（ステップ２０２３３）。次に文書ファイルフォルダ２０５内ファイルと一時保存フォルダ２０６に保存された文書ファイルフォルダ１０５内ファイルのファイル更新日時の比較を実施し（ステップ２０２３４）、受信した文書ファイルフォルダ１０５内ファイルの更新日時が古い場合はルーチン処理を終了する（ステップ２０２３６）。
【００５５】
受信した文書ファイルフォルダ１０５(一時保存フォルダ２０６)内ファイルの更新日時が新しい場合は、受信した文書ファイルフォルダ１０５内ファイルを文書ファイルフォルダ２０５内ファイルに上書きし（ステップ２０２３５）、ルーチン処理を終了する（ステップ２０２３６）。
【００５６】
尚、文書ファイルフォルダ２０５内ファイルは、ＲＡＭディスク等の揮発性の一時記憶装置２０４に格納されている為、シンクライアント２０電源ＯＦＦによりデータが消去される為、シンクライアント２０に残り続けず、セキュリティが確保される。
【符号の説明】
【００５７】
１０：接続先ＰＣ(ＶＤＩ環境)
２０：シンクライアント
３０：ネットワーク
１０１：リモート接続サーバプログラム
１０２：ファイル転送プログラム（ＶＤＩ）
１０３：ＯＡ業務プログラム
１０４：記憶装置
１０５：文書ファイルフォルダ
１０８：ＯＳ
２０１：リモート接続クライアントプログラム
２０２：ファイル転送プログラム（シンクラ）
２０３：ＯＡ業務プログラム
２０４：一時記憶装置
２０５：文書ファイルフォルダ
２０８：ＯＳ
２０６：一時保存フォルダ
１０５１：文書ファイル
１０５１１：ファイル情報
１０５１２：ファイルＩＤ、ファイル状態、更新日時、プログラム情報
【図１】
2016118837.tif 000003
【図２】
2016118837.tif 000004
【図３】
2016118837.tif 000005
【図４】
2016118837.tif 000006
【図５】
2016118837.tif 000007
【図６】
2016118837.tif 000008
【図７】
2016118837.tif 000009
【図８】
2016118837.tif 000010
【図９】
2016118837.tif 000011